(57)【要約】【課題】  複数枚の光学シートを重ねて、平面状に保持し、その一方側を入光側、他方側を出光側として、入光側に複数の光源を配し、該複数枚の光学シートを介して光源からの光を液晶表示パネルへ供給する、液晶表示パネル用のバックライトユニットにおいて、従来の、液晶表示装置に用いられた際に、最も光源側の光学シートが、光源点灯時、その表裏に、特に、吸湿率の差が生じて、光源側に凹、液晶表示パネル側に凸になり、場合によっては、液晶表示パネルを押し、表示される画像に悪影響を与えることがある、という問題を解決する。【解決手段】  複数枚の光学シートのうち、最も剛性の大きいシートが最も光源側に配置されており、且つ、該最も剛性の大きいシートは、２種類以上の樹脂層より構成されており、最も光源側の樹脂層の熱膨張率は、最も観察者側の樹脂層の熱膨張率より大きい。【選択図】  図１
2008225023.tif 000002
【特許請求の範囲】
【請求項１】
複数枚の光学シートを重ねて、平面状に保持し、その一方側を入光側、他方側を出光側として、入光側に複数の光源を配し、該複数枚の光学シートを介して光源からの光を液晶表示パネルへ供給する、液晶表示パネル用のバックライトユニットであって、前記複数枚の光学シートのうち、最も剛性の大きいシートが最も光源側に配置されており、且つ、該最も剛性の大きいシートは、２種類以上の樹脂層より構成されており、その最も光源側の樹脂層の熱膨張率は、その最も観察者側の樹脂層の熱膨張率より大きいことを特徴とする液晶表示パネル用のバックライトユニット。
【請求項２】
請求項１に記載の液晶表示パネル用のバックライトユニットであって、前記最も剛性の大きいシートの、最も光源側の樹脂層の熱膨張係数をａ、４０℃、湿度９０％での吸湿伸び率をｎ、最も観察者側の樹脂層の熱膨張係数をｂ、としたとき、
ｎ≦１０（ａ- ｂ）                          （１）
（１）式の関係を満たすことを特徴とする液晶表示パネル用のバックライトユニット。
【請求項３】
請求項１ないし２のいずれか１項に記載の液晶表示パネル用のバックライトユニットであって、前記最も光源側の光学シートは、複数の、先端断面が円弧状の接触部をもつシート支持冶具で、二次元的に複数箇所で接触して保持されており、該複数の支持冶具間の最小間隔をＬ、光学シートの密度をρとし、該最も光源側の光学シートの厚さをｔとしたとき、ヤング率をＥとし、重力加速度をｇとして、
ｔ＞１５×ρ×g ×Ｌ4 ／８×Ｅ×ｔ2           （２）
（２）式の関係を満たすことを特徴とする液晶表示パネル用のバックライトユニット。
【請求項４】
請求項３に記載の液晶表示パネル用のバックライト部であって、前記シート支持冶具は、接触部を透明とするものであることを特徴とする液晶表示パネル用のバックライトユニット。
【請求項５】
請求項１ないし４のいずれか１項に記載の液晶表示パネル用のバックライトユニットであって、前記複数枚の光学シートの中で、少なくとも1 枚は、出光面側に複数のレンズアレイが形成されていることを特徴とする液晶表示パネル用のバックライトユニット。
【請求項６】
請求項５に記載の液晶表示パネル用のバックライトユニットであって、前記出光面側に複数のレンズアレイが形成されている光学シートの中の１枚の光学シートが、前記複数枚の光学シートの中で、最も剛性の大きいシートであることを特徴とする液晶表示パネル用のバックライトユニット。
【請求項７】
バックライトユニットを液晶表示パネルの背面に配置した透過型の液晶表示装置であって、前記バックライトユニットとして、前記請求項１ないし６のいずれか１項に記載の液晶表示パネル用のバックライトユニットを用いたことを特徴とする液晶表示装置。
【発明の詳細な説明】
【技術分野】
【０００１】
本発明は、液晶表示パネル用のバックライトユニットと液晶表示装置に関し、特に、複数枚の光学シートを重ねて、平面状に保持し、その一方側を入光側、他方側を出光側として、入光側に複数の線状光源を並列に配し、該複数枚の光学シートを介して光源からの光を液晶表示パネルへ供給する、液晶表示パネル用のバックライトユニットと該液晶表示パネル用のバックライトユニットを用いた液晶表示装置に関する。
【背景技術】
【０００２】
近年、液晶表示パネルを用いた液晶表示装置が、パーソナルコンピュータ、テレビ、各種情報端末機器等の画像表示手段として、様々な分野で利用されてきている。
このような液晶表示装置は透過型であり、液晶パネルの背面側に光源を配設し、この光源からの光を面発光に変換して液晶パネルを照射する面光源装置、いわゆる、バックライトが採用されている。
このようなバックライトの方式には、大別して冷陰極管等の光源を光透過性に優れたアクリル樹脂等からなる平板状の導光板の側端部に沿って取付け、光源からの光を導光板内で多重反射させる導光板ライトガイド方式（エッジライト方式）と、導光板を用いない液晶パネルの背面に光源を配置した直下型方式とがあるが、最近では、２０インチ以下の小型液晶表示装置には、低消費電力化が図れ、薄型化の容易な導光体ライトガイド方式が主流となり、それ以外では直下型方式が用いられている。
【０００３】
直下型方式としては、例えば、図３（ａ）に示すように、光源３１側からスチレン、アクリル等からなる拡散層２１、接着層２２、開口を有する遮光層２３、レンズシート２３を一体的に積層した光学シートを用いたバックライトユニットが知られている。（特開２００７−４７２５７号公報参照）
【特許文献１】特開２００７−４７２５７号公報
【０００４】
一方、また、図３（ｂ）に示すように、光源３１側から拡散シート２６、米国３Ｍ社の登録商標である輝度強調フィルム（ B r i g h t n e s s   E n h a n c e m e n t   F i l m：ＢＥＦ）２７、偏光分離フィルム（Ｄｏｕｂｌｅ   B r i g h t n e s s   E n h a n c e m e n t   F i l m：ＤＢＥＦ）２８を重ね、平面状に保持した、光学シート群２５を備えた、簡単な構造のバックライトユニットが用いられるようになってきた。
光学シート（ＢＥＦ）２７は、基材上に、光の波長に比較して大きいサイズ（ピッチ）で、断面三角形状の単位プリズムが一方向に周期的に配列されたフィルムであり、軸外（ o f f - a x i s）からの光を集光し、この光を視聴者に向けて軸上（o n - a x i s ）に方向転換（ r e d i r e c t）またはリサイクル（ r e c y c l e）するため、光源からの光を有効利用できるものとしている。
尚、ここではフィルム状の光学シート、シート状の光学シートを総称して光学シートとも言う。
しかし、図３（ｂ）に示すバックライトユニットの場合、液晶表示装置に用いられた際、最も光源側の光学シート２６が、光源点灯時、その表裏に、特に、乾燥度合の差が生じて、光源３１側に凹、液晶表示パネル１９側に凸になり、場合によっては、液晶表示パネル１９を押し、表示される画像に悪影響を与えることがあり、問題となっていた。
【発明の開示】
【発明が解決しようとする課題】
【０００５】
上記のように、最近、図３（ｂ）に示すように、光源側から拡散シート、米国３Ｍ社の登録商標である輝度強調フィルム（ B r i g h t n e s s   E n h a n c e m e n t   F i l m：ＢＥＦ）、偏光分離フィルム（Ｄｏｕｂｌｅ   B r i g h t n e s s   E n h a n c e m e n t   F i l m：ＤＢＥＦ）を重ね、平面状に保持した、光学シート群を備えた、簡単な構造のバックライトユニットが用いられるようになってきたが、このバックライトユニットの場合、液晶表示装置に用いられた際、最も光源側の光学シートが、光源点灯時、その表裏に、特に、吸湿率（乾燥度合）の差が生じて、光源側に凹、液晶表示パネル側に凸になり、場合によっては、液晶表示パネルを押し、表示される画像に悪影響を与えることがあり、この対応が求められていた。
本発明はこれに対応するもので、複数枚の光学シートを重ねて、平面状に保持し、その一方側を入光側、他方側を出光側として、入光側に複数の線状光源を並列に配し、該複数枚の光学シートを介して光源からの光を液晶表示パネルへ供給する、液晶表示パネル用のバックライトユニットで、従来の、液晶表示装置に用いられた際に、最も光源側の光学シートが、光源点灯時、その表裏に、特に、吸湿率の差（乾燥度合の差とも言う）が生じて、光源側に凹、液晶表示パネル側に凸になり、場合によっては、液晶表示パネルを押し、表示される画像に悪影響を与えることがある、という問題を解決できる液晶表示パネル用のバックライトユニットを提供しようとするものである。
【課題を解決するための手段】
【０００６】
本発明の液晶表示パネル（ＬＣＤパネルとも言う）用のバックライトユニットは、複数枚の光学シートを重ねて、平面状に保持し、その一方側を入光側、他方側を出光側として、入光側に複数の線状光源を配し、該複数枚の光学シートを介して光源からの光を液晶表示パネルへ供給する、液晶表示パネル用のバックライトユニットであって、前記複数枚の光学シートのうち、最も剛性の大きいシートが最も光源側に配置されており、且つ、該最も剛性の大きいシートは、２種類以上の樹脂層より構成されており、その最も光源側の樹脂層の熱膨張率は、その最も観察者側の樹脂層の熱膨張率より大きいことを特徴とするものである。
そして、上記の液晶表示パネル用のバックライトユニットであって、前記最も剛性の大きいシートの、最も光源側の樹脂層の熱膨張係数をａ、４０℃、湿度９０％での吸湿伸び率をｎ、最も観察者側の樹脂層の熱膨張係数をｂ、としたとき、  
ｎ≦１０（ａ- ｂ）                          （１）
（１）式の関係を満たすことを特徴とするものである。
そしてまた、上記いずれかの液晶表示パネル用のバックライトユニットであって、前記最も光源側の光学シートは、複数の、先端断面が円弧状の接触部をもつシート支持冶具で、二次元的に複数箇所で接触して保持されており、該複数の支持冶具間の最小間隔をＬ、光学シートの密度をρとし、該最も光源側の光学シートの厚さをｔとしたとき、ヤング率をＥとし、重力加速度をｇとして、
ｔ＞１５×ρ×g ×Ｌ4 ／８×Ｅ×ｔ2           （２）
（２）式の関係を満たすことを特徴とするものであり、前記シート支持冶具は、接触部を透明とするものであることを特徴とするものである。
また、上記いずれかの液晶表示パネル用のバックライトユニットであって、前記複数枚の光学シートの中で、少なくとも1 枚は、出光面側に複数のレンズアレイが形成されていることを特徴とするものであり、前記出光面側に複数のレンズアレイが形成されている光学シートの中の１枚の光学シートが、前記複数枚の光学シートの中で、最も剛性の大きいシートであることを特徴とするものである。
尚、（２）式の、Ｌ、ρ、ｔ、Ｅ、ｇについて、それぞれ、単位を付けて示すと、Ｌ［ｍ］、ρ［ｋｇ／ｍ3 ］、ｔ［ｍ］、Ｅ［Ｎ／ｍ2 ］、ｇ［ｍ／ｓｅｃ2 ］となる。
また、ここでの、吸湿伸び率は、ＪＩＳ  Ｋ７２０９での吸湿率における物質の伸び率である。
尚、吸湿率とは吸水度ともいい、その程度は吸水率で表される。
また、ここでの、熱膨張係数は、ＪＩＳ規格Ｋ７１９７に規定される。
【０００７】
また、本発明の液晶表示装置は、バックライトユニットを液晶表示パネルの背面に配置した透過型の液晶表示装置であって、前記バックライトユニットとして、請求項１ないし６のいずれか１項に記載の液晶表示パネル用のバックライトユニットを用いたことを特徴とするものである。
【０００８】
（作用）
本発明の液晶表示パネル用のバックライトユニットは、このようにすることにより、
複数枚の光学シートを重ねて、平面状に保持し、その一方側を入光側、他方側を出光側として、入光側に複数の線状光源を並列に配し、該複数枚の光学シートを介して光源からの光を液晶表示パネルへ供給する、液晶表示パネル用のバックライトユニットで、従来の、液晶表示装置に用いられた際に、最も光源側の光学シートが、光源点灯時、その表裏に、特に、吸湿率の差が生じて、光源側に凹、液晶表示パネル側に凸になり、場合によっては、液晶表示パネルを押し、表示される画像に悪影響を与えることがある、という問題を解決できる液晶表示パネル用のバックライトユニットの提供を可能としている。
具体的には、前記複数枚の光学シートのうち、最も剛性の大きいシートが最も光源側に配置されており、且つ、該最も剛性の大きいシートは、２種類以上の樹脂層より構成されており、その最も光源側の樹脂層の熱膨張率は、その最も観察者側の樹脂層の熱膨張率より大きいことにより、これを達成している。
即ち、最も最も剛性の大きいシートを多層の樹脂層構成として、光源点灯時に、光源からの熱で光源側が乾燥して観察者側に比べて収縮する効果を、光源の熱によるシート温度の向上時のその両側の樹脂層層の熱膨張の差による効果で相殺することで、シートの反りを制御して、上記問題を解決している。
更に具体的には、前記最も剛性の大きいシートの、最も光源側の樹脂層の熱膨張係数をａ、４０℃、湿度９０％での吸湿伸び率をｎ、最も観察者側の樹脂層の熱膨張係数をｂ、としたとき、
ｎ≦１０（ａ- ｂ）                          （１）
（１）式の関係を満たす、請求項２の発明の形態とすることにより、従来における、液晶表示装置に用いられた際に、最も光源側の光学シートが、光源点灯時、その表裏に、特に、吸湿率の差が生じて、光源側に凹、液晶表示パネル側に凸になり、場合によっては、液晶表示パネルを押し、表示される画像に悪影響を与えることがある、という問題を、実際に使用する環境下で、一層確実に解決できるものとしている。
即ち、（１）式の関係を満たすことにより、実際に使用する環境下で、光学シートの反りを、最も光源側の光学シートの反りを、少なくとも光源側に凸、液晶表示パネル側に凹に制御でき、この光学シートの反りが原因で、液晶表示パネルを押して表示される画像に悪影響を与えることがないようにしている。
詳しくは、液晶表示装置に用いられた際に、最も光源側の光学シートは、光源点灯時、その光源側の乾燥は激しく、表裏の吸湿率の差が大きくなるが、それ以外の光学シートについては、表裏の吸湿率の差は、ほとんど生じない、あるいは、小さい。
一方、使用環境下において光源点灯により、各光学シートの温度も非点灯の状態（常温）からは変化することとなるが、光学シートの表裏では温度差は大きくならない。
最も光源側の光学シートでは、光源点灯により、その表裏では温度差は小さいものの、非点灯の状態（常温）から数℃から１０℃程度、温度が上がる場合もある。
最も光源側の光学シートについて考えると、光源点灯により、主に、表裏の吸湿率の差は、光源側に凹、液晶表示パネル側に凸に反るように作用し、一方、各樹脂層の表裏の熱膨張の差に起因する、温度変化（上昇）よる表裏の伸び率の違いにより、光源側に凸、液晶表示パネル側に凹に反るように作用するが、特に、（１）式の関係を満たすように設定することにより、実際に使用する環境下で、両作用が打ち消すように働き、結果として、光源点灯に際しても、最も光源側の光学シートの反りの悪影響を阻止することができる。  尚、最も光源側以外の光学シートについては、光源点灯に際して、その表裏の湿度変化、温度変化は小さく、これらに起因した反りは、実用レベルで問題とはならない。
【０００９】
また、前記最も光源側の光学シートは、複数の、先端断面が円弧状の接触部をもつシート支持冶具で、二次元的に複数箇所で接触して保持されており、該複数の支持冶具間の最小間隔をＬ、光学シートの密度をρとし、該最も光源側の光学シートの厚さをｔとしたとき、ヤング率をＥとし、重力加速度をｇとして、
ｔ＞１５×ρ×g ×Ｌ4 ／８×Ｅ×ｔ2           （２）
（２）式の関係を満たす、請求項３の発明の形態とすることにより、前記複数枚の光学シートを水平にして、シート支持冶具で保持する場合においても、その自重による反り（ここでは、水平方向に直交する変位量）を、厚さ以内に抑えることができ、反りを実用レベルとしている。
尚、（２）式の右辺は自重による反りの最大量である。
前記シート支持冶具は、接触部を透明とするものであることにより、光源からの光が支治具により遮られる影響を少ないものとしている。
【００１０】
また、前記複数枚の光学シートの中で、少なくとも1 枚は、出光面側に複数のレンズアレイが形成されている、請求項５の発明の形態とすることにより、光の指向性を制御でき、光を有効利用することを可能としている。
特に、出光面側に複数のレンズアレイが形成されている光学シートの中の１枚の光学シートが、前記複数枚の光学シートの中で、最も剛性の大きいシートである、請求項６の発明の形態とすることにより、安定してバランス良く光の指向性を制御できるものとしている。
【００１１】
また、本発明の液晶表示装置は、このようにすることにより、複数枚の光学シートを重ねて、平面状に保持し、その一方側を入光側、他方側を出光側として、入光側に複数の線状光源を並列に配し、該複数枚の光学シートを介して光源からの光を液晶表示パネルへ供給する、液晶表示パネル用のバックライトユニットを、液晶表示パネルの背面に配置した透過型の液晶表示装置であって、従来の、最も光源側の光学シートが、光源点灯時、その表裏に、特に、乾燥度合の差が生じて、光源側に凹、液晶表示パネル側に凸になり、場合によっては、液晶表示パネルを押し、表示される画像に悪影響を与えることがある、という問題を解決できる液晶表示装置の提供を可能としている。
【発明の効果】
【００１２】
本発明は、上記のように、複数枚の光学シートを重ねて、平面状に保持し、その一方側を入光側、他方側を出光側として、入光側に複数の線状光源を並列に配し、該複数枚の光学シートを介して光源からの光を液晶表示パネルへ供給する、液晶表示パネル用のバックライトユニットで、従来の、液晶表示装置に用いられた際に、最も光源側の光学シートが、光源点灯時、その表裏に、特に、吸湿率の差が生じて、光源側に凹、液晶表示パネル側に凸になり、場合によっては、液晶表示パネルを押し、表示される画像に悪影響を与えることがある、という問題を解決できる液晶表示パネル用のバックライトユニットの提供を可能とした。
これにより、複数枚の光学シートを重ねて、平面状に保持し、その一方側を入光側、他方側を出光側として、入光側に複数の線状光源を並列に配し、該複数枚の光学シートを介して光源からの光を液晶表示パネルへ供給する、液晶表示パネル用のバックライトユニットを、液晶表示パネルの背面に配置した透過型の液晶表示装置であって、従来の、最も光源側の光学シートが、光源点灯時、その表裏に、特に、吸湿率の差が生じて、光源側に凹、液晶表示パネル側に凸になり、場合によっては、液晶表示パネルを押し、表示される画像に悪影響を与えることがある、という問題を解決できる液晶表示装置の提供を可能とした。
【発明を実施するための最良の形態】
【００１３】
本発明の実施の形態を図に基づいて説明する。
図１（ａ）は本発明の液晶表示パネル用のバックライトユニットの実施の形態の１例とそれを用いた液晶表示装置の概略断面図で、図１（ｂ）は、図１（ａ）のＡ０部を拡大して示した図で、図１（ｃ）は支持治具の配列状態を図１（ａ）のＡ１方向からみた支持治具の配置状態を示した図で、図２は図１（ａ）に示す液晶表示パネル用のバックライトユニットと液晶表示装置を水平方向にした状態を示した概略断面図である。
尚、図１（ａ）は各光学シート鉛直方向に立てた状態の図で、その下側は所定の治具により周辺部が支持されているが、ここではそれを省略して示している。
図１〜図２中、１０は（液晶表示パネル用の）バックライトユニット、１１は（最も光源側の）光学シート、１１ａ、１１ｂ、１１ｃは樹脂層、１２は（真ん中の）光学シート、１３は（液晶表示パネル側の）光学シート、１５は（線状の）光源、１６は反射板、１８は支持治具、１８ａは接触部、１８ｂは支持部、１９は液晶表示パネル、２０は光学シート、２１は拡散層、２２は接着層、２３は反射層、２４はレンズシート、２５は光学シート群、２６〜２７は光学シート、３１は（線状の）光源、３２は反射板である。
【００１４】
はじめに、本発明の液晶表示パネル用のバックライトユニットの実施の形態の１例を図１に基づいて説明する。
本例の液晶表示パネル用のバックライトユニット１０は、３枚の光学シート１１〜１３を重ねて、平面状に保持し、その一方側（図１（ａ）では光源１５側）を入光側、他方側（図１（ａ）では液晶表示パネル１９側）を出光側として、入光側に複数の線状光源を並列に配し、３枚の光学シート１１〜１３を介して光源１５からの光を液晶表示パネル１９へ供給する、液晶表示パネル用のバックライトユニットである。
特に、光学シート１１が、出光面側に複数のレンズアレイが形成されている光学シートで３枚の光学シート１１〜１３の中で、最も剛性の大きいシートであり、図１に示すように、３つの樹脂層１１ａ〜１１ｃが積層され一体となった構造のもので、その最も光源側の樹脂層１１ａの熱膨張率は、その最も観察者側の樹脂層１１ｃの熱膨張率より大きい。  本例では、最も剛性の大きいシート１１の、最も光源側の樹脂層１１ａの熱膨張係数をａ、４０℃、湿度９０％での吸湿伸び率をｎ、最も観察者側の樹脂層１１ｃの熱膨張係数をｂ、としたとき、
ｎ≦１０（ａ- ｂ）                          （１）
（１）式の関係を満たす。
（１）式の関係を満たすことにより、実際に使用する環境下で、最も光源側の光学シートの反りを、少なくとも光源側に凸、液晶表示パネル側に凹に制御でき、この光学シートの反りが原因で、液晶表示パネルを押して表示される画像に悪影響を与えることがないようにしている。
結局、このような構成にすることにより、実際に使用する環境下で、光学シートの反りを小さく、あるいは、少なくとも光源側に凸、液晶表示パネル側に凹に制御でき、従来における、液晶表示装置に用いられた際に、最も光源側の光学シートが、光源点灯時、その表裏に、特に、吸湿率の差が生じて、光源側に凹、液晶表示パネル側に凸になり、場合によっては、液晶表示パネルを押し、表示される画像に悪影響を与えることがある、という問題を、確実に、解決できるものとしている。
【００１５】
本例においては、最も光源側の光学シート１１が平面状態を保つように、図１（ｃ）に示すように、二次元的に複数の個所で、支持治具１８の先端断面が円弧状の接触部１８ａを複数配して光学シート１１に当てて支持している。
ここでは、支持治具１８自体はその支持部１８ｂを反射板に固定している。
液晶表示装置の形態で、光学シート１１〜１３を、図２に示すように、水平方向にして用いることもあり、特に、本例においては、該複数の支持冶具間の最小間隔をＬ、光学シートの密度をρとし、該最も光源側の光学シート１１の厚さをｔとしたとき、ヤング率をＥとし、重力加速度をｇとして、下記の（２）しくを満たす。
ｔ＞１５×ρ×g ×Ｌ4 ／８×Ｅ×ｔ2           （２）
これにより、光学シート１１について、その自重による反り（ここでは、水平方向に直交する変位量）を、厚さ以内に抑えることができ、反りを実用レベルとしている。
尚、先にも述べたように、このような反りは、ある閾値を越えると急激に大きくなるが、このような状態を、座屈とも言い、（２）式は座屈がおきない関係を示している。
また、シート支持冶具１８の接触部１８ａは透明であり、光源１５からの光が支持治具１８により遮られる影響を少ないものとしている。
【００１６】
光学シート１２、１３としては、スチレン樹脂、アクリル樹脂、ポリカーボネート樹脂等の樹脂フィルム（シート）等が用いられる。
光学シート１１は、複数のレンズアレイが形成されている光学シートで、ＰＥＴ（ポリエチレンテレフタレート）、ＰＣ（ポリカーボネイト）、ＰＭＭＡ（ポリメチルメタクリレート）、ＣＯＰ（シクロオレフィンポリマー）等を用いて、当該技術分野では良く知られている押し出し成型法、射出成型法、あるいは熱プレス成型法によって形成される。
あるいは、ＰＥＴ（ポリエチレンテレフタレート）、ＰＰ（ポリプロピレン）、ＰＣ（ポリカーボネイト）、ＰＭＭＡ（ポリメチルメタクリレート）、ＰＥ（ポリエチレン）等を基材として、その上に紫外線硬化樹脂を配置する紫外線キュアリング成型法によって形成する。
勿論、市販のＢＥＦ等を用いても良い。
光源としては、冷陰極管等が用いられる。
反射板としては、反射性の金属板や金属層を配したものが用いられる。
【００１７】
本発明の液晶表示パネル用のバックライトユニットは、上記のバックライトユニット１０に限定されない。
また、本発明の液晶表示装置も、図１（ａ）に示す構成のバックライトユニット１０を液晶表示パネル１９の背面に配置した透過型の液晶表示装置に限定はされない。
光学シート１１〜１３に代え、他の複数の光学シートを重ねて保持した構造の光学シート群をバックライトユニットに組み入れたもので、該複数枚の光学シートのうち、最も剛性の大きいシートが最も光源側に配置されており、且つ、最も剛性の大きいシートは、２種類以上の樹脂層より構成されており、その最も光源側の樹脂層の熱膨張率は、その最も観察者側の樹脂層の熱膨張率より大きいものであり、更に、バックライトユニットの光学的機能を発揮できるバックライトユニットであれば良い。
また、用いるバックライト用の光源（図１の１５に相当）としては、冷陰極管等の線状光源が好ましいが、均一に全面照射でき、実用に耐えるものであれば、これに限定はされない。
【図面の簡単な説明】
【００１８】
【図１】図１（ａ）は本発明の液晶表示パネル用のバックライトユニットの実施の形態の１例とそれを用いた液晶表示装置の概略断面図で、図１（ｂ）は、図１（ａ）のＡ０部を拡大して示した図で、図１（ｃ）は支持治具の配列状態を図１（ａ）のＡ１方向からみた支持治具の配置状態を示した図である。
【図２】図２は図１（ａ）に示す液晶表示パネル用のバックライトユニットと液晶表示装置を水平方向にした状態を示した概略断面図である。
【図３】公知のバックライトユニットとそれを用いた液晶表示装置とを示した概略断面図である。
【符号の説明】
【００１９】
１０          （液晶表示パネル用の）バックライトユニット
１１          （最も光源側の）光学シート
１１ａ、１１ｂ、１１ｃ    樹脂層
１２          （真ん中の）光学シート、
１３          （液晶表示パネル側の）光学シート
１５          （線状の）光源
１６            反射板
１８            支持治具
１８ａ          接触部
１８ｂ          支持部
１９            液晶表示パネル
２０            光学シート
２１            拡散層
２２            接着層
２３            反射層
２４            レンズシート
２５            光学シート群
２６〜２７      光学シート
３１          （線状の）光源
３２            反射板
【図１】
2008225023.tif 000003
【図２】
2008225023.tif 000004
【図３】
2008225023.tif 000005